(57)【特許請求の範囲】
【請求項１】
上部に掃除口を開口するとともに側部に枝管流入口を開口し、底部にインバート部を形成し、かつこのインバート部を介して両端部に開口した流入口と流出口とを連通し、この流入口および流出口の外周部にそれぞれフランジ部を形成した排水桝本体と、
この排水桝本体のフランジ部の両端面にそれぞれ同一形状に形成された環状のパッキンユニット嵌合溝と、
このパッキンユニット嵌合溝に圧入嵌着され、前記排水桝本体のフランジ部を互いに水密に保持するパッキンユニットと、
このパッキンユニットの両端面にそれぞれ設けられ、互いにフランジ部を連結した前記排水桝本体のフランジ部間に形成される止水部とを備え、
前記止水部は、前記パッキンユニットの両端面にそれぞれ形成した凹溝にそれぞれ嵌着されるＯリングにて形成されている
ことを特徴とする排水桝の連結装置。
【請求項２】
排水桝本体の枝管流入口はこの枝管流入口の軸心を中心として左右対称に形成した
ことを特徴とする請求項１記載の排水桝の連結装置。
【請求項３】
パッキンユニットの外周面に、フランジ部に形成した環状のパッキンユニット嵌合溝に圧入される複数の突部を設けた
ことを特徴とする請求項１または２に記載の排水桝の連結装置。
【発明の詳細な説明】
【０００１】
【発明の属する技術分野】
本発明は、建物からの排水枝管を接続する排水桝において、特に複数の排水桝を連結して建物の床下に設置する場合に適した排水桝の連結装置に関する。
【０００２】
【従来の技術】
従来、建物内の各排水設備から床下に配管された排水枝管が建物外の宅地内に配管された排水管とを接続する際には、建物から出た排水枝管の接続部ごとに排水管に排水桝を設置する必要がある。
【０００３】
また、建物から出た排水枝管ごとに排水桝を設置することは、狭い箇所に排水桝を設置したり、建物から出る排水枝管が離れた箇所から出てくると排水管を延長して排水桝を設置しなければならず、配管の作業性が悪いなどの問題があり、この問題点を解決するために、各排水設備に接続された各排水枝管をそれぞれ接続する排水桝を、建物の床下にまとめて設置する方法が提案されている。
【０００４】
【発明が解決しようとする課題】
しかしながら、建物の床下に排水桝を集中的に設置する場合には、建物外に設置する場合と違い、建物の排水設備の位置がそれぞれ異なり、この各排水設備に接続した排水枝管は、集中的に配設された排水桝本体に対する流入方向がそれぞれ異なるため、この流入方向が異なる各排水枝管を集中的に設置された各排水桝にそれぞれ接続するためには、左側側部に枝管流入口が開口した排水桝本体と、右側側部に枝管流入口が開口した排水桝本体の２種類が必要になり、各排水桝本体ごとに高価な金型を用意しなければならず、経済性に問題があった。
【０００５】
また、排水桝本体を連結する際、排水桝全体の長さを短くするために、排水桝全体の流入口と流出口にフランジ部を形成し、Ｏリングを介してボルトとナットで締結することにより、連結した排水桝全体の長さを短くすることが考えられる。しかし、フランジ部同士を接合することにより排水桝を互いに接合する場合、通常、一方のフランジ部の端面にＯリング保持溝を形成し、他方のフランジ部の端面は平滑面とするため、排水桝の接合方向は必然的に定まってしまい、例えば、排水桝本体を水平方向に反転させて枝管流入口を左右兼用とするような使い方はできない。
【０００６】
一方、流入口および流出口のフランジ部の端面を同一形状とすることは可能であるが、この場合、フランジ部にＯリング保持溝を設けることはできないので、Ｏリングを保持することが困難であり、Ｏリングが排水桝本体から脱落し易いという問題がある。
【０００７】
また、枝管流入口を排水桝本体の左右両側部に開口し、使用しない枝管流入口はプラグで閉塞する方法や、排水桝本体の掃除口を上下に開口し、排水枝管の配設されている方向に応じて排水桝の上下を反転させて枝管流入口の開口方向を変え、かつ下側の掃除口をプラグで閉塞する方法によって、ひとつの排水桝本体で枝管流入口の向きを左右兼用として対処することが考えられるが、このような排水桝本体は、成形するための金型構造が複雑になり、また、プラグも型も成形しなければならないため、コストが高くなるという問題がある。
【０００８】
本発明は、上記問題点に鑑みなされたもので、複数の排水桝本体を直接接続できるとともに、互いに接続した排水桝本体の接続部において確実に止水でき、止水するためのパッキンユニットを排水桝本体の接続部に確実に取付けることができる排水桝の連結装置を提供することを目的とする。
【０００９】
【課題を解決するための手段】
請求項１記載の発明の排水桝の連結装置は、上部に掃除口を開口するとともに側部に枝管流入口を開口し、底部にインバート部を形成し、かつこのインバート部を介して両端部に開口した流入口と流出口とを連通し、この流入口および流出口の外周部にそれぞれフランジ部を形成した排水桝本体と、この排水桝本体のフランジ部の両端面にそれぞれ同一形状に形成された環状のパッキンユニット嵌合溝と、このパッキンユニット嵌合溝に圧入嵌着され、前記排水桝本体のフランジ部を互いに水密に保持するパッキンユニットと、このパッキンユニットの両端面にそれぞれ設けられ、互いにフランジ部を連結した前記排水桝本体のフランジ部間に形成される止水部とを備え、前記止水部は、前記パッキンユニットの両端面にそれぞれ形成した凹溝にそれぞれ嵌着されるＯリングにて形成されているものである。
【００１０】
そして、排水桝本体の流入口および流出口の外周部に形成したフランジ部を互いに直接接続することが可能になり、また、排水桝本体を互いに接続するに際し、接続する一方の排水桝本体のフランジ部に形成された環状のパッキンユニット嵌合溝にパッキンユニットを圧入嵌着し、フランジ部の端面から突出した前記パッキンユニットに他方の排水桝本体のパッキンユニット嵌合溝を圧入嵌着させてフランジ部を互いに接合して、たとえばボルトとナットによって固定すると、このパッキンユニットは排水桝本体のフランジ部に設けた環状のパッキンユニット嵌合溝に圧入されるので、パッキンユニットが排水桝本体から脱落することが確実に防止できるとともに、前記パッキンユニットの両端面にそれぞれ形成された止水部の各Ｏリングがフランジ部のパッキンユニット嵌合溝に圧入されるので、止水部により確実に止水でき、前記排水桝本体を水密に接続できる。
【００１１】
請求項２記載の発明の排水桝の連結装置は、請求項１に記載の排水桝の連結装置において、排水桝本体の枝管流入口はこの枝管流入口の軸心を中心として左右対称に形成したものである。
【００１２】
そして、枝管流入口は軸心を中心としてこの枝管流入口の左右対称としたことにより、排水桝本体の左方向に排水枝管が配管される場合には、排水桝本体の枝管流入口を左方向に向けてこの枝管流入口に排水枝管を接続することができる一方で、排水桝本体の右方向に排水枝管が配管される場合には、排水桝本体を水平方向に反転させて枝管流入口を右方向に向けて、枝管流入口に排水枝管を接続することができ、また、枝管流入口を左右いずれの側に向けても排水の流れに支障をきたさない。また、前記排水桝本体は簡単な構造であり、この排水桝本体を成形するための金型の構造が複雑になることがないため、排水桝本体の作成コストを低く抑えることが可能になる。
【００１３】
請求項３記載の発明の排水桝の連結装置は、請求項１または２に記載の排水桝の連結装置において、パッキンユニットの外周面に、フランジ部に形成した環状のパッキンユニット嵌合溝に圧入される複数の突部を設けたものである。
【００１４】
そして、排水桝本体のフランジ部に形成したパッキンユニット嵌合溝にパッキンユニットを圧入嵌着すると、このパッキンユニットに設けられた複数の突部が前記パッキンユニット嵌合溝に圧入されて、パッキンユニットは確実にこのフランジ部のパッキンユニット嵌合溝において固定されるので、このパッキンユニットが排水桝本体のフランジ部から脱落することを確実に防止することができる。
【００１５】
【発明の実施の形態】
以下、本発明の排水桝の連結装置における一実施の形態の構成を図面を参照して説明する。
【００１６】
図１ないし図３において、排水桝本体１は合成樹脂にて成形され、内底部に形成されたインバート部２の両端部には、このインバート部２を介して連通した流入口３と流出口４が開口されている。この流入口３および流出口４の外周に沿って径方向外側には、フランジ部５，６がそれぞれ環状に突出して形成され、このフランジ部５，６には結合ボルト（図示せず）を挿通するボルト挿通孔７が前記各排水桝本体１のフランジ部５，６の接合方向に向かって貫通形成されている。
【００１７】
そして、このフランジ部５，６の、互いに接合する端面には、パッキンユニット８を嵌合するためのパッキンユニット嵌合溝９が形成されている。このパッキンユニット嵌合溝９は、フランジ部５，６の両端面にそれぞれ同一形状の環状に形成されている。
【００１８】
また、前記排水桝本体１の側部にはインバート部２に連通する枝管流入口10が、この排水桝本体１の側面からインバート部２と直交する方向に筒状に突出形成されている。
【００１９】
また、この各排水桝本体１には、前記インバート部２の上方に位置して上面に開口した掃除口11が筒状に突設形成され、この掃除口11の下方側方に位置して前記枝管流入口10が開口し、また、この掃除口11にはそれぞれ掃除口蓋（図示せず）が着脱自在に設けられる。
【００２０】
次に、前記各排水桝本体１のフランジ部５，６の少なくとも一方、例えば、フランジ部６の左右両側部には、一対の略矩形形状の支持部12が相対して一体的に突出形成されている。この左右の支持部12のフランジ部５，６が互いに接合する端面と同一面には、上下方向の係合凹部13が形成され、この係合凹部13には各排水桝本体１の接合方向に向かって支持用ボルト（図示せず）を挿通するボルト挿通孔14が貫通している。この支持部12の係合凹部13には、基礎面または床下面に固定した取付片（図示せず）を係合してボルト（図示せず）とナット（図示せず）によって固定し、桝本体は基礎面から浮上支持または床下面から吊り下げ支持される。
【００２１】
また、最上流端に配設される排水桝本体１の流入口３は、フランジ部５，６の端面と略同一形状の閉塞板（図示せず）にて閉塞される。
【００２２】
また、図４および図５に示すように、前記排水桝本体１のフランジ部５，６に形成したパッキンユニット嵌合溝９に嵌合されるパッキンユニット８は塩化ビニル樹脂などの材料によって成形する。このパッキンユニット８の形状は前記パッキンユニット嵌合溝９と略同一の環状であり、また、径方向の厚さは前記パッキンユニット嵌合溝９の深さの略２倍である。
【００２３】
そして、このパッキンユニット８の両端面には、止水部15が形成される。この止水部15は、パッキンユニット８の両端面に環状の凹溝16に嵌挿されたＯリング17にて形成されている。このＯリング17は、前記凹溝16と略同一の環状で、断面形状は、前記凹溝16の溝幅と略同一の直径を有する円形である。また、前記凹溝16の深さは溝幅よりも小さい寸法で、前記Ｏリング17をこの凹溝16に嵌着した状態で、Ｏリング17の径方向の一部は前記パッキンユニット８の端面から突出する。
【００２４】
また、このパッキンユニット８の外周部分には、突部18が複数箇所に設けられている。この突部18は、パッキンユニット８がフランジ部５，６のパッキンユニット嵌合溝９に嵌合された際、パッキンユニット嵌合溝９に圧入されてパッキンユニット８をパッキンユニット嵌合溝９に確実に保持して、パッキンユニット８が排水桝本体１から脱落することを防止する。
【００２５】
次に、本発明の排水桝の施工方法について説明する。
【００２６】
排水桝本体１を順次フランジ部５，６にて接合する際には、まず、排水枝管（図示せず）の配管レイアウトに応じ、排水桝本体１の連結数と各排水桝本体１の枝管流入口10の開口方向を決める。次に、図６に示すように、連結する２つの排水桝本体１のうち一方の排水桝本体１のフランジ部５またはフランジ部６のパッキンユニット嵌合溝９に、Ｏリング17を両端面の凹溝16に嵌合したパッキンユニット８を圧入嵌着する。この状態で、パッキンユニット嵌合溝９に嵌合されたパッキンユニット８の厚さ方向の略半分はこのパッキンユニット嵌合溝９から突出し、排水桝本体１のフランジ部５またはフランジ部６から突出する。
【００２７】
次に、図６に示すように、連結する他方の排水桝本体１のフランジ部６またはフランジ部５を前記一方の排水桝本体１のフランジ部５またはフランジ部６から突出したパッキンユニット８を他方の排水桝本体１のフランジ部６またはフランジ部５のパッキンユニット嵌合溝９の位置に合わせ、この状態で、図７に示すように、一方の排水桝本体１のフランジ部５またはフランジ部６と他方の排水桝本体１のフランジ部６またはフランジ部５を互いに接合させて、パッキンユニット８を他方の排水桝１のパッキンユニット嵌合溝９に嵌合させる。この状態で、パッキンユニット８に設けられた３箇所の突部18は、排水桝本体１のパッキンユニット嵌合溝９の内周部に圧入されてパッキンユニット８をパッキンユニット嵌合溝９に保持される。
【００２８】
次に、前記一方の結合ボルト（図示せず）をそれぞれ一方のフランジ部５またはフランジ部６のボルト挿通孔７に挿通し、この結合ボルト（図示せず）の先端部は反対側のフランジ部５側から突出させ、この突出した結合ボルト（図示せず）の先端部からナット(図示せず)を締め付け螺合してそれぞれの排水桝本体１を一体的に結合すると、パッキンユニット８が排水桝本体１のパッキンユニット嵌合溝９に挟着されて、パッキンユニット８の止水部15を形成するＯリング17がフランジ部５およびフランジ部６のパッキンユニット嵌合溝９の内底部に圧入されて、この排水桝本体１のフランジ部５，６の接合部は互いに水密に保持される。
【００２９】
なお、排水桝本体１の枝管流入口10は、軸心を中心として左右対称に形成されているため、排水桝本体１の枝管流入口10を排水枝管（図示せず）の接続方向に向けてこの排水桝本体１を接続することにより、枝管流入口10にそれぞれ排水枝管（図示せず）を接続することができ、排水桝本体１の左右いずれの側に配設された排水枝管（図示せず）であっても枝管流入口10に接続することができる。
【００３０】
次に、建物の床下において、排水桝本体１を基礎面から浮上支持する場合は、取付片の一端固定部を基礎面に設置し、この取付片の他端接合部を排水桝本体１の係合凹部13に接合して配設する。
【００３１】
一方、排水桝本体１を床下面から吊り下げ支持する場合は、取付片の一端固定部を床下面に設置し、この取付片の他端接合部を排水桝本体１の係合凹部13に接合して配設する。
【００３２】
この状態で、排水桝本体１の枝管流入口10に、排水枝管（図示せず）を嵌挿して接続する。
【００３３】
また、排水桝本体１の掃除口11は、それぞれ掃除口蓋（図示せず）によって着脱自在に閉塞する。
【００３４】
【発明の効果】
請求項１記載の発明によれば、排水桝本体の流入口および流出口の外周部に形成したフランジ部を互いに直接接続することが可能になり、また、排水桝本体を互いに接続するに際し、接続する一方の排水桝本体のフランジ部に形成された環状のパッキンユニット嵌合溝にパッキンユニットを圧入嵌着し、フランジ部の端面から突出した前記パッキンユニットに他方の排水桝本体のパッキンユニット嵌合溝を圧入嵌着させてフランジ部を互いに接合して、たとえばボルトとナットによって固定すると、このパッキンユニットは排水桝本体のフランジ部に設けた環状のパッキンユニット嵌合溝に圧入されるので、パッキンユニットが排水桝本体から脱落することが確実に防止できるとともに、前記パッキンユニットの両端面にそれぞれ形成された止水部の各Ｏリングがフランジ部のパッキンユニット嵌合溝に圧入されるので、止水部により確実に止水でき、前記排水桝本体を水密に接続できる。
【００３５】
請求項２記載の発明によれば、枝管流入口は軸心を中心としてこの枝管流入口の左右対称としたことにより、排水桝本体の左方向に排水枝管が配管される場合には、排水桝本体の枝管流入口を左方向に向けてこの枝管流入口に排水枝管を接続することができる一方で、排水桝本体の右方向に排水枝管が配管される場合には、排水桝本体を水平方向に反転させて枝管流入口を右方向に向けて、枝管流入口に排水枝管を接続することができ、また、枝管流入口を左右いずれの側に向けても排水の流れに支障をきたさない。また、前記排水桝本体は簡単な構造であり、この排水桝本体を成形するための金型の構造が複雑になることがないため、排水桝本体の作成コストを低く抑えることが可能になる。
【００３６】
請求項３記載の発明によれば、排水桝本体のフランジ部に形成したパッキンユニット嵌合溝にパッキンユニットを圧入嵌着すると、このパッキンユニットに設けられた複数の突部が前記パッキンユニット嵌合溝に圧入されて、パッキンユニットは確実にこのフランジ部のパッキンユニット嵌合溝において固定されるので、このパッキンユニットが排水桝本体のフランジ部から脱落することを確実に防止することができる。
【図面の簡単な説明】
【図１】  本発明の一実施の形態を示す排水桝本体の縦断正面図である。
【図２】  同上排水桝本体の平面図である。
【図３】  同上排水桝本体の側面図である。
【図４】  同上パッキンユニットの側面図である。
【図５】  同上パッキンユニットの縦断正面図である。
【図６】  同上排水桝本体の一部の縦断正面図である。
【図７】  同上排水桝本体を連結した状態を示す一部の縦断正面図である。
【符号の説明】
１    排水桝本体
２    インバート部
３    流入口
４    流出口
５    フランジ部
６    フランジ部
８    パッキンユニット
９    パッキンユニット嵌合溝
10    枝管流入口
11    掃除口
15    止水部
16    凹溝
17    Ｏリング
18    突部
19    パッキンユニット
【図１】
0003673215.tif 000002
【図２】
0003673215.tif 000003
【図３】
0003673215.tif 000004
【図４】
0003673215.tif 000005
【図５】
0003673215.tif 000006
【図６】
0003673215.tif 000007
【図７】
0003673215.tif 000008